(57)【要約】【課題】  表示させる映像によっては、フレーム表示周波数（フレームレート）を増加させると画質が劣化してしまう場合があった。【解決手段】  動き領域検出回路１０２は、画像情報Ｓ（ｉ−１）の動き領域を検出し、中間画像生成回路１０５は、動き領域情報に基づいて中間画像情報ＳＣ（ｉ−１）を生成する。また、周波数分離回路１０３は、画像情報Ｓ（ｉ−１）から高周波画像情報ＳＨ（ｉ−１）と、低周波画像情報ＳＬ（ｉ−１）を生成する。そして、コントラスト情報算出回路１０４により算出された動き領域のコントラスト情報が所定値よりも高い場合は、画像情報Ｓ（ｉ−１）の画像と中間画像情報ＳＣ（ｉ−１）を順次表示させ、コントラスト情報が所定値以下である場合は、高周波画像情報ＳＨ（ｉ−１）と低周波画像情報ＳＬ（ｉ−１）を順次表示させる。【選択図】  図１
2010041315.tif 000002
【特許請求の範囲】
【請求項１】
入力映像信号を処理する映像信号処理装置であって、
前記入力映像信号の第１フレームと第２フレームとから前記第１フレームの動き領域を検出し、当該動き領域の情報に応じて、前記第１フレームと前記第２フレームとの中間画像である第３フレームを生成する第１の生成手段と、
前記第１フレームの周波数成分に応じた第４フレームと第５フレームとを生成する第２の生成手段と、
前記第１フレームの動き領域のコントラストが所定値よりも高い場合、前記第１フレームと前記第３フレームとを順次表示させ、
前記第１フレームの動き領域のコントラストが前記所定値以下である場合、前記第４フレームと前記第５フレームとを順次表示させる表示制御手段と
を有することを特徴とする映像信号処理装置。
【請求項２】
前記第１フレームの動き領域のコントラストは、前記第１フレームの動き領域と前記第１フレームの低周波成分画像の動き領域との差分に応じて取得される
ことを特徴とする請求項１記載の映像信号処理装置。
【請求項３】
前記表示制御手段は、前記第１フレームの動き領域が所定の大きさよりも大きい場合、当該動き領域が前記所定の大きさ以下の場合よりも前記所定値を低く設定する
ことを特徴とする請求項１記載の映像信号処理装置。
【請求項４】
前記表示制御手段は、前記第１フレームの動き領域の位置を示す第１の位置と、前記第１フレームよりも後に表示される前記第２フレームにおける、前記第１フレームの動き領域に対応する第２の位置との表示画面上における距離が所定の距離よりも離れている場合、前記表示画面上における距離が前記所定の距離以内の場合よりも、前記所定値を低く設定する
ことを特徴とする請求項１記載の映像信号処理装置。
【請求項５】
入力映像信号を処理する映像信号処理装置が行う映像信号処理方法であって、
前記入力映像信号の第１フレームと第２フレームとから前記第１フレームの動き領域を検出し、当該動き領域の情報に応じて、前記第１フレームと前記第２フレームとの中間画像である第３フレームを生成する第１の生成工程と、
前記第１フレームの周波数成分に応じた第４フレームと第５フレームとを生成する第２の生成工程と、
前記第１フレームの動き領域のコントラストが所定値よりも高い場合、前記第１フレームと前記第３フレームとを順次表示させ、
前記第１フレームの動き領域のコントラストが前記所定値以下である場合、前記第４フレームと前記第５フレームとを順次表示させる表示制御工程と
を有することを特徴とする映像信号処理方法。
【請求項６】
入力映像信号を処理するコンピュータに、
前記入力映像信号の第１フレームと第２フレームとから前記第１フレームの動き領域を検出し、当該動き領域の情報に応じて、前記第１フレームと前記第２フレームとの中間画像である第３フレームを生成する第１の生成手順と、
前記第１フレームの周波数成分に応じた第４フレームと第５フレームとを生成する第２の生成手順と、
前記第１フレームの動き領域のコントラストが所定値よりも高い場合、前記第１フレームと前記第３フレームとを順次表示させ、
前記第１フレームの動き領域のコントラストが前記所定値以下である場合、前記第４フレームと前記第５フレームとを順次表示させる表示制御手順と
を実行させることを特徴とするプログラム。
【発明の詳細な説明】
【技術分野】
【０００１】
本発明は、入力映像信号のフレーム表示周波数を増加させる映像信号処理装置に関するものである。
【背景技術】
【０００２】
テレビジョン受像機などの表示装置には、ちらつきや動きボケを抑制するためにフレーム表示周波数（フレームレート）を増加させる倍速駆動方式を行うものがある。倍速駆動の方式として、動き検出により中間補正画像を生成する中間画像生成方式や、入力映像信号に応じた画像を空間周波数領域において低周波成分画像と高周波成分画像に分離して表示する空間周波数分離方式などが知られている。
【０００３】
中間画像生成方式は、入力映像信号におけるオブジェクトの動きを検出して２つのフレーム間の画像を推定生成する方法である。特許文献１には、第１参照フレームと、第１参照フレームよりも後の時刻の第２参照フレームから補間フレームを生成することについて記載されている。
【０００４】
また、空間周波数分離方式は、入力映像信号に対してフレームごとにフィルタ処理を行い、空間的高周波成分と、空間的低周波成分を分離する。そして、例えば、空間的高周波成分を一方のサブフレームに集中させ、空間的低周波成分を両方のサブフレームに分配して表示する方法である。ここで、サブフレームとは、倍速駆動方式で表示されるフレームであり、フレーム表示周波数に応じて、入力映像信号の１つのフレームに複数のサブフレームが対応する。特許文献２には、フレーム周波数の増加に応じて１つのフレームを複数のサブフレームに分割して表示する場合に、少なくとも一つのサブフレームの高周波成分を減少させることについて記載されている。
【特許文献１】特開２００４−１５９２９４号公報
【特許文献２】特開２００６−１８４８９６号公報
【発明の開示】
【発明が解決しようとする課題】
【０００５】
しかしながら、表示させる映像によっては、フレーム表示周波数（フレームレート）を増加させることによって画質が劣化することがあった。
【０００６】
即ち、例えば、中間画像生成方式において、動き検出を誤ると、誤った中間画像が生成され、画質が劣化する恐れがあった。
【０００７】
また、空間周波数分離方式において、例えば、入力映像信号による画像が、隣接する画素の輝度値の差が大きい画像であると、その低周波成分画像に輪郭などが残ってしまう場合がある。このような場合、再生する映像にがたつきが発生し、画質が劣化する恐れがあった。
【０００８】
本発明は、上記の問題点に鑑みてなされたものであり、その目的は、フレーム表示周波数（フレームレート）を増加させることにより起こり得る画質の劣化を低減することである。
【課題を解決するための手段】
【０００９】
上記課題を解決するために本発明の映像信号処理装置は、例えば以下の構成を有する。即ち、入力映像信号を処理する映像信号処理装置であって、前記入力映像信号の第１フレームと第２フレームとから前記第１フレームの動き領域を検出し、当該動き領域の情報に応じて、前記第１フレームと前記第２フレームとの中間画像である第３フレームを生成する第１の生成手段と、前記第１フレームの周波数成分に応じた第４フレームと第５フレームとを生成する第２の生成手段と、前記第１フレームの動き領域のコントラストが所定値よりも高い場合、前記第１フレームと前記第３フレームとを順次表示させ、前記第１フレームの動き領域のコントラストが前記所定値以下である場合、前記第４フレームと前記第５フレームとを順次表示させる表示制御手段とを有する。
【００１０】
また、本発明の映像信号処理方法は、入力映像信号を処理する映像信号処理装置が行う映像信号処理方法であって、前記入力映像信号の第１フレームと第２フレームとから前記第１フレームの動き領域を検出し、当該動き領域の情報に応じて、前記第１フレームと前記第２フレームとの中間画像である第３フレームを生成する第１の生成工程と、前記第１フレームの周波数成分に応じた第４フレームと第５フレームとを生成する第２の生成工程と、前記第１フレームの動き領域のコントラストが所定値よりも高い場合、前記第１フレームと前記第３フレームとを順次表示させ、前記第１フレームの動き領域のコントラストが前記所定値以下である場合、前記第４フレームと前記第５フレームとを順次表示させる表示制御工程とを有する。
【発明の効果】
【００１１】
本発明によれば、フレーム表示周波数を増加させることにより起こり得る画質の劣化を低減することができる。
【発明を実施するための最良の形態】
【００１２】
＜実施形態１＞
以下添付図面を参照して、本発明を好適な実施形態に従って詳細に説明する。なお、以下の実施形態において示す構成は一例に過ぎず、本発明は図示された構成に限定されるものではない。
【００１３】
本形態では、入力映像信号はフレーム表示周波数（フレームレート）が６０Ｈｚのノンインタレース信号であり、これを１２０Ｈｚのノンインタレース信号に変換する場合を例にとって説明する。すなわち、本形態の映像信号処理装置は、１秒間に６０枚の画像を表示させるための入力映像信号に応じて、１秒間に１２０枚の画像を表示させるための表示装置で動画像を表示させる場合の処理を行う。ただし、それ以外のフレームレート等に変換するようにしても、本発明は実施可能である。
【００１４】
＜システム構成について＞
図１は、本実施形態に係る映像信号処理装置の構成例を示すブロック図である。図１において、１０１はフレームメモリ、１０２は動き領域検出回路、１０３は周波数分離回路、１０４はコントラスト情報算出回路、１０５は中間画像生成回路、１０６は表示画像選択回路である。尚、本映像信号処理装置は、入力映像信号を処理する映像信号処理装置である。また、本映像信号処理装置は、動画像を表示する表示装置に接続される装置であっても、表示装置内に組み込まれるものであっても良い。つまり、本映像信号処理装置は、デジタルテレビ、パーソナルコンピュータ、ノートブックＰＣ、コンピュータを内蔵した各種家電製品、ゲーム機、携帯電話などの、動画像を表示する表示装置に組み込まれたものであっても良い。また、本映像信号処理装置は、例えば、デジタルカメラ、デジタルビデオカメラなどの、動画像データを表示装置に入力するための映像入力機器に組み込まれたものであっても良い。
【００１５】
フレームメモリ１０１は、不図示の映像入力機器からの入力映像信号の入力に応じて、画像情報Ｓを出力する。すなわち、フレームメモリ１０１は、入力映像信号として、例えば時刻（ｉ）に再生させる画像の画像データである画像情報Ｓ（ｉ）が入力されると、時刻（ｉ−１）に再生させる画像の画像データである画像情報Ｓ（ｉ−１）を出力する。つまり、画像情報Ｓ（ｉ−１）は、入力映像信号のフレーム表示周波数に従って動画像を表示させた場合に、画像情報Ｓ（ｉ）の１フレーム前に表示される画像の画像データである。尚、入力映像信号は、デジタルカメラやデジタルビデオカメラ、ネットワーク上のサーバ、動画像データを記憶するハードディスクなど、種々の映像入力機器からの入力が可能である。フレームメモリ１０１は、画像情報Ｓ（ｉ−１）を、動き領域検出回路１０２、周波数分離回路１０３、コントラスト情報算出回路１０４、中間画像生成回路１０５、画像決定回路１０６のそれぞれに出力する。
【００１６】
動き領域検出回路１０２は、入力映像信号として入力された画像情報Ｓ（ｉ）、およびフレームメモリ１０１から入力された画像情報Ｓ（ｉ−１）から、画像情報Ｓ（ｉ−１）の画像における動き領域を検出し、動き領域情報ｍ（ｉ−１）を取得する。即ち、動き領域検出回路１０２は、入力映像信号の第１フレームと第２フレームとから第１フレームの動き領域を検出する。動き領域検出回路１０２は、取得した動き領域情報ｍ（ｉ−１）をコントラスト情報算出回路１０４、及び中間画像生成回路１０５へ出力する。この動き領域情報ｍ（ｉ−１）には、画像情報Ｓ（ｉ−１）と画像情報Ｓ（ｉ）の動き領域の座標情報が含まれている。動き領域情報ｍ（ｉ−１）の詳細については図３を用いて後述する。
【００１７】
周波数分離回路１０３は、フレームメモリ１０１からの画像情報Ｓ（ｉ−１）の入力に応じて、高周波画像情報ＳＨ（ｉ−１）、および低周波画像情報ＳＬ（ｉ−１）を生成する。つまり、高周波画像情報ＳＨ（ｉ−１）は、画像情報Ｓ（ｉ−１）の画像の高周波成分画像の画像データである。また、低周波画像情報ＳＬ（ｉ−１）は、画像情報Ｓ（ｉ−１）の画像の低周波成分画像の画像データである。このように、周波数分離回路１０３は、画像情報Ｓ（ｉ−１）の高周波画像情報ＳＨ（ｉ−１）、及び低周波画像情報ＳＬ（ｉ−１）を生成する。即ち、周波数分離回路１０３は、第１フレームの周波数成分に応じた画像（高周波成分画像、低周波成分画像）を生成する。周波数分離回路１０３は、高周波画像情報ＳＨ（ｉ−１）を画像決定回路１０６へ、低周波画像情報ＳＬ（ｉ−１）を画像決定回路１０６、及びコントラスト情報算出回路１０４へ出力する。
【００１８】
尚、周波数分離回路１０３は、高周波画像情報ＳＨ（ｉ−１）、及び低周波画像情報ＳＬ（ｉ−１）から得られた画像を適宜組み合わせた画像を出力するようにしても良い。すなわち、周波数分離回路１０３は、低周波画像情報ＳＬ（ｉ−１）と、例えば所定の重み付けをした高周波画像情報ＳＨ（ｉ−１）との組み合わせに応じた画像などを出力するようにしても良い。高周波画像情報ＳＨ（ｉ−１）、低周波画像情報ＳＬ（ｉ−１）の詳細については後述する。
【００１９】
コントラスト情報算出回路１０４は、動き領域検出回路１０２から動き領域情報ｍ（ｉ−１）、フレームメモリ１０１から画像情報Ｓ（ｉ−１）、周波数分離回路１０３から低周波画像情報ＳＬ（ｉ−１）の入力を受け付ける。そして、コントラスト情報算出回路１０４は、入力された情報を用いてコントラスト情報ｃ（ｉ−１）を算出する。コントラスト情報ｃ（ｉ−１）は、画像情報Ｓ（ｉ−１）によって表示される画像における動き領域のコントラストの高さを示す情報である。コントラスト情報算出回路１０４は、算出したコントラスト情報ｃ（ｉ−１）を画像決定回路１０６へ出力する。コントラスト情報算出回路１０４によるコントラスト情報ｃ（ｉ−１）の算出方法については後述する。
【００２０】
中間画像生成回路１０５は、動き領域検出回路１０２から入力された動き領域情報ｍ（ｉ−１）とフレームメモリ１０１から入力された画像情報Ｓ（ｉ−１）に応じて、中間画像情報ＳＣ（ｉ−１）を生成する。つまり、中間画像生成回路１０５は、動き領域情報ｍ（ｉ−１）に応じて、画像情報Ｓ（ｉ−１）と画像情報Ｓ（ｉ）との中間画像である中間画像情報ＳＣ（ｉ−１）を生成する。即ち、中間画像生成回路１０５は、動き領域の情報に応じて、第１フレームと第２フレームとの中間画像である第３フレームを生成する。中間画像生成回路１０５は、生成した中間画像情報ＳＣ（ｉ−１）を画像決定回路１０６へ出力する。中間画像生成回路１０５による中間画像情報ＳＣ（ｉ−１）の生成方法については、後述する。
【００２１】
画像決定回路１０６は、画像情報Ｓ（ｉ−１）、高周波画像情報ＳＨ（ｉ−１）、低周波画像情報ＳＬ（ｉ−１）、中間画像情報ＳＣ（ｉ−１）、およびコントラスト情報ｃ（ｉ−１）の入力を受ける。そして、画像決定回路１０６は、入力されたこれらの情報に応じて、画像情報Ｓ（ｉ−１）、高周波画像情報ＳＨ（ｉ−１）、低周波画像情報ＳＬ（ｉ−１）、中間画像情報ＳＣ（ｉ−１）のうち、いずれか２つの画像データを表示装置へ出力する。つまり、画像決定回路１０６は、コントラスト情報ｃ（ｉ−１）に応じて、高周波画像情報ＳＨ（ｉ−１）及び低周波画像情報ＳＬ（ｉ−１）か、或いは画像情報Ｓ（ｉ−１）及び中間画像情報ＳＣ（ｉ−１）かを表示装置へ順次出力する。表示装置は、画像決定回路１０６から入力された画像データに応じた画像を順次表示する。
【００２２】
＜システム全体の処理＞
次に、本実施形態の映像信号処理装置が行う処理の流れについて、入力映像信号として画像情報Ｓ（ｉ）が入力された場合を例に挙げて、図２を用いて説明する。
【００２３】
図２は映像信号処理装置における処理フローを示したフローチャートである。尚、本実施形態では、これから説明する各部の処理を、図１に示したハードウェアを用いて行っているが、ソフトウェアによって行うことも可能である。すなわち、映像信号処理装置の各制御を行うＣＰＵが、ＲＯＭ等に記憶される制御プログラムを読み出し、処理を実行するようにしても良い。
【００２４】
ステップＳ２０１において、動き領域検出回路１０２は、フレームメモリ１０１から入力された画像情報Ｓ（ｉ−１）、及び入力映像信号として入力された画像情報Ｓ（ｉ）に応じて、画像情報Ｓ（ｉ−１）の画像の動き領域を検出する。そして、動き領域検出回路１０２は、検出された動き領域の動き領域情報ｍ（ｉ−１）を取得する。動き領域は、画像情報Ｓ（ｉ）と画像情報Ｓ（ｉ−１）との差分情報に基づいて検出される。また、動き領域情報ｍ（ｉ−１）は、各画像情報Ｓの動き領域の座標情報を含む。尚、上述の通り、入力映像信号のフレーム表示周波数に従って動画像の表示を行う場合、画像情報Ｓ（ｉ−１）の画像の次に画像情報Ｓ（ｉ）の画像が表示される。
【００２５】
即ち、ステップ２０１において、動き領域検出回路１０２は、入力映像信号の第１フレームと第２フレームとから第１フレームの動き領域を検出する。ここで、第１フレームは画像情報Ｓ（ｉ−１）、第２フレームは画像情報Ｓ（ｉ）にそれぞれ対応する。動き領域検出回路１０２は、Ｓ２０１において、取得した動き領域情報ｍ（ｉ−１）をコントラスト情報算出回路１０４及び中間画像生成回路１０５に出力する。動き領域情報の詳細については図３を用いて後述する。
【００２６】
ステップＳ２０２において、周波数分離回路１０３は、画像情報Ｓ（ｉ−１）から高周波画像情報ＳＨ（ｉ−１）および低周波画像情報ＳＬ（ｉ−１）を生成する。低周波画像情報ＳＬ（ｉ−１）は、画像情報Ｓ（ｉ−１）に対してローパスフィルタなどの処理を行うことにより得られる画像データであり、この画像データに応じた画像は、画像情報Ｓ（ｉ−１）の画像と比較して輪郭がぼやけた画像となる。また、高周波画像情報ＳＨ（ｉ−１）は、画像情報Ｓ（ｉ−１）と低周波画像情報ＳＬ（ｉ−１）との差分を画像情報Ｓ（ｉ−１）に付加するなどの処理を行うことにより得られる画像データである。この画像データに応じた画像は、画像情報Ｓ（ｉ−１）の画像と比較してより輪郭が強調された画像となる。
【００２７】
即ち、ステップＳ２０２において、周波数分離回路１０３は、第１フレームの高周波成分画像、及び低周波成分画像を生成する。ここで、第１フレームは画像情報Ｓ（ｉ−１）、第２フレームは画像情報Ｓ（ｉ）にそれぞれ対応する。
【００２８】
ステップＳ２０２において、周波数分離回路１０３は、生成した高周波画像情報ＳＨ（ｉ−１）を画像決定回路１０６へ出力する。また、ステップＳ２０２において、周波数分離回路１０３は、生成した低周波画像情報ＳＬ（ｉ−１）をコントラスト情報算出回路１０４及び画像決定回路１０６に出力する。周波数分離回路１０３による空間周波数分離画像生成の詳細は後述する。尚、ステップＳ２０２の処理は、ステップＳ２０５の処理が開始されるまでに終了していれば良い。
【００２９】
ステップＳ２０３において、コントラスト情報算出回路１０４は、動き領域におけるコントラスト情報を算出する。すなわち、コントラスト情報算出回路１０４は、動き領域情報ｍ（ｉ−１）に基づいて、画像情報Ｓ（ｉ−１）の動き領域と低周波画像情報ＳＬ（ｉ−１）の動き領域との差分を算出する。そして、コントラスト情報算出回路１０４は、算出された差分値に応じて動き領域のコントラストの高さを示すコントラスト情報ｃ（ｉ−１）を算出する。尚、コントラスト情報算出回路１０４は、Ｓ２０１において、動き領域検出回路１０２から動き領域情報ｍ（ｉ−１）を取得している。コントラスト情報算出回路１０４は、Ｓ２０３において、算出したコントラスト情報を画像決定回路１０６に出力する。コントラスト情報算出の詳細は図５を用いて後述する。
【００３０】
ステップＳ２０４において、中間画像生成回路１０５は、フレームメモリ１０１から出力された画像情報Ｓ（ｉ）と、動き領域検出回路１０２から出力された動き領域情報ｍ（ｉ−１）とを用いて、中間画像情報ＳＣ（ｉ−１）を生成する。上述のように、中間画像情報ＳＣ（ｉ−１）は、画像情報Ｓ（ｉ）の画像と画像情報Ｓ（ｉ−１）の画像との間にあたる画像の画像データである。
【００３１】
即ち、ステップＳ２０４で、中間画像生成回路１０５は、動き領域の情報に応じて、第１フレームと第２フレームとの中間画像である第３フレームを生成する。ここで、第１フレームは画像情報Ｓ（ｉ−１）の画像、第２フレームは画像情報Ｓ（ｉ）の画像、第３フレームは中間画像情報ＳＣ（ｉ−１）の画像にそれぞれ対応する。
【００３２】
中間画像生成回路１０５は、Ｓ２０４において、生成した中間画像情報ＳＣ（ｉ−１）を画像決定回路１０６に出力する。中間補正画像生成の詳細は図６を用いて後述する。尚、ステップＳ２０３とステップＳ２０４の順序は逆でも良い。
【００３３】
ステップＳ２０５において、画像決定回路１０６は、表示装置に出力する画像データを決定する。画像決定回路１０６は、入力映像信号のフレーム表示周波数（フレームレート）より高いフレーム表示周波数で画像が表示されるように、表示装置に画像データを出力する。上述のように、本形態では、入力映像信号の２倍のフレーム表示周波数で表示させるために、入力映像信号に応じた１つ又は２つの画像データから得られる第１サブフレームと第２サブフレームを順次表示する場合について説明している。しかし、それ以外の倍率のフレーム表示周波数で表示させるようにしても良い。尚、画像決定回路１０６には、画像情報Ｓ（ｉ−１）、高周波画像情報ＳＨ（ｉ−１）、低周波画像情報ＳＬ（ｉ−１）、中間画像情報ＳＣ（ｉ−１）、およびコントラスト情報ｃ（ｉ−１）が入力されている。画像決定回路１０６は、ステップＳ２０５において、コントラスト情報ｃ（ｉ−１）が所定値よりも大きいか否かを判断する。
【００３４】
画像決定回路１０６は、画像情報Ｓ（ｉ−１）の動き領域に対するコントラスト情報ｃ（ｉ−１）が所定値よりも高いと判断した場合、第１サブフレームをオリジナル画像情報Ｓ（ｉ−１）、第２サブフレームを中間画像情報ＳＣ（ｉ−１）に決定する。そして、画像決定回路１０６は、決定に応じた画像データを表示装置へ出力する。尚、サブフレームとは、倍速駆動方式で表示されるフレームであり、フレーム表示周波数に応じて、入力映像信号の１つのフレームに複数のサブフレームが対応する。本形態の場合、入力映像信号のフレーム表示周波数が６０Ｈｚであり、表示装置で表示されるフレーム表示周波数が１２０Ｈｚである。従って、画像情報Ｓ（ｉ−１）に対応するサブフレームは、２つである。ここでは、２つのサブフレームのうち、先に表示させるサブフレームを第１サブフレーム、後に表示させるサブフレームを第２サブフレームと呼ぶ。即ち、Ｓ２０５において、画像決定回路１０６は、第１フレームの動き領域のコントラストが所定値よりも高い場合、第１、第２サブフレームとして、第１フレームと第３フレームとを順次表示させる。つまり、画像情報Ｓ（ｉ−１）の動き領域のコントラスト情報ｃ（ｉ−１）が所定値よりも高いと判断された場合、画像決定回路１０６は、画像情報Ｓ（ｉ−１）の画像と中間画像情報ＳＣ（ｉ−１）の画像を順次表示させる。
【００３５】
一方、画像決定回路１０６は、ステップＳ２０５において、コントラスト情報ｃ（ｉ−１）が所定値以下であると判断した場合、第１サブフレームとして高周波画像情報ＳＨ（ｉ−１）、第２サブフレームとして低周波画像情報ＳＬ（ｉ−１）を出力する。即ち、Ｓ２０５において、画像決定回路１０６は、第１フレームの動き領域のコントラストが所定値以下である場合、第１フレームの高周波成分画像と第１フレームの低周波成分画像とを順次表示させる。つまり、画像決定回路１０６は、画像情報Ｓ（ｉ−１）の動き領域のコントラスト情報ｃ（ｉ−１）が所定値以下であると判断された場合、高周波画像情報ＳＨ（ｉ−１）の画像と低周波画像情報ＳＬ（ｉ−１）の画像を順次表示させる。
【００３６】
尚、動き領域のコントラスト情報が所定値以下である場合に順次表示させる画像は、高周波画像情報ＳＨ（ｉ−１）の画像と低周波画像情報ＳＬ（ｉ−１）の画像に限らない。即ち、画像決定回路１０６は、動き領域のコントラスト情報が所定値以下である場合、以下のような画像を表示させても良い。すなわち、画像決定回路１０６は、第１サブフレームとして、例えば、低周波画像情報ＳＬ（ｉ−１）と、２倍の重み付けをした高周波画像情報ＳＨ（ｉ−１）との組み合わせに応じた画像（第４フレーム）を表示させても良い。また、画像決定回路１０６は、第２サブフレームとして、低周波画像情報ＳＬ（ｉ−１）の画像（第５フレーム）を表示させるようにしても良い。このように、画像決定回路１０６は、動き領域のコントラスト情報が所定値以下である場合、第１フレーム（画像情報Ｓ（ｉ−１））の周波数成分に応じたフレームを順次、表示させる。
【００３７】
また、上述のように、コントラスト情報ｃ（ｉ−１）は、画像情報Ｓ（ｉ−１）の動き領域におけるコントラストの強さを示す情報である。また、画像決定回路１０６から画像データを入力された不図示の表示装置は、入力された画像データに応じた画像を順次表示させる。
【００３８】
このように、画像決定回路１０６が、コントラスト情報ｃ（ｉ−１）に応じて表示装置へ出力する画像データを切り替えるのは、以下の理由による。すなわち、動き領域のコントラストが高ければ、動き領域の検出を精度良く行いやすい。動き領域の検出が正確に行われれば、それにより生成される中間画像は、入力映像信号に応じた画像の中間に表示させるべき画像として有効である。一方、動き領域のコントラストが高いと、低周波成分画像にエッジが残ることが多く、そのような場合に高周波成分画像と低周波成分画像を順次表示させると、二重映りによる映像のがたつき（ジャギー）が発生する可能性が高くなる。
【００３９】
これに対し、動き領域のコントラストが低いと、動き領域の誤検出が行われてしまう可能性が高くなる。動き領域が誤検出されると、それにより生成される中間画像は、入力映像信号に応じた画像の中間に表示させるべき画像との差異が大きくなってしまう可能性が高い。一方、動き領域のコントラストが低い場合は、高周波成分画像と低周波成分画像を順次表示させることにより、滑らかに再生できる可能性が高い。そこで、本実施形態の画像決定回路１０６は、コントラスト情報算出回路１０４から出力された動き領域のコントラスト情報に応じて、表示装置へ出力する画像データを切り替える。画像決定回路１０６による表示画像決定の詳細は図７を用いて後述する。
【００４０】
＜動き領域情報算出の処理＞
次に、本実施形態の動き領域検出回路１０２が行う、動き領域の検出処理と動き領域情報の算出処理について図３を用いて説明する。この処理は、図２のステップＳ２０１の処理に対応する。図３は、動き領域情報の算出処理を説明するための概念図である。図３（ａ）は画像情報Ｓ（ｉ−１）、図３（ｂ）は画像情報Ｓ（ｉ）である。上述のように、画像情報Ｓ（ｉ−１）は、入力映像信号のフレーム表示周波数に従って動画像を表示させる場合に、画像情報Ｓ（ｉ）の画像の１フレーム前に再生される画像の画像データである。動き領域検出回路１０２は、それぞれの画像を複数の画素ブロック（破線）に分割し、該画素ブロックのパターンマッチングにより、画像情報Ｓ（ｉ−１）の画像内の動き領域を検出する。すなわち、動き領域検出回路１０２は、図３（ａ）における１つの画素ブロックを図３（ｂ）の各画素ブロックと比較し、相関の高い画素ブロックを判定する。動き領域検出回路１０２は、図３（ａ）におけるすべての画素ブロックについて、図３（ｂ）の各画素ブロックとの比較を行う。そして、動き領域検出回路１０２は、相関の高い画素ブロックのうち、表示位置が図３の（ａ）と（ｂ）で異なっている画素ブロック（群）を動き領域として検出する。ここでは、図３（ａ）に示す画素ブロック群（実線）が検出されたものとする。また、画像情報Ｓ（ｉ−１）の動き領域に対応する画像情報Ｓ（ｉ）の動き領域は、図３（ｂ）の実線で示すように検出される。このときの動き領域情報ｍ（ｉ−１）は、例えば、画像情報Ｓ（ｉ−１）と、画像情報Ｓ（ｉ）のそれぞれの動き領域の各頂点の座標値の情報を含む。図３の例では、検出された動き領域にそれぞれ８つの頂点が存在するので、動き領域情報ｍ（ｉ−１）には、全部で１６の座標値の情報が含まれる。つまり、動き領域情報ｍ（ｉ−１）には、画像情報Ｓ（ｉ−１）から検出された動き領域の８つの頂点の座標情報と、画像情報Ｓ（ｉ）から検出された動き領域の８つの頂点の座標情報が含まれる。動き領域検出回路１０２は、このようにして、動き領域を検出し、動き領域情報ｍ（ｉ−１）をコントラスト情報算出回路１０４、及び中間画像生成回路１０５に出力する。
【００４１】
動き領域検出回路１０２として、たとえば、テレビジョン受像機におけるＹ／Ｃ分離回路やインタレースをノンインタレースに変換する走査線変換回路等で用いるものと同様のものを用いても良い。
【００４２】
＜空間周波数分離画像生成の処理＞
次に、本実施形態の周波数分離回路１０３が行う、空間周波数分離画像の生成処理について図４を用いて説明する。この処理は、図２のステップＳ２０２の処理に対応する。図４は、空間周波数分離画像の生成処理を説明するための概念図である。
【００４３】
図４（ａ）は画像情報Ｓ（ｉ−１）、図４（ｂ）は画像情報Ｓ（ｉ−１）の低周波画像情報ＳＬ（ｉ−１）、図４（ｃ）は画像情報Ｓ（ｉ−１）の高周波画像情報ＳＨ（ｉ−１）である。低周波画像情報ＳＬ（ｉ−１）は、画像情報Ｓ（ｉ−１）にローパスフィルタなどの処理をすることにより生成される。また、高周波画像情報ＳＨ（ｉ−１）は、画像情報Ｓ（ｉ−１）と低周波画像情報ＳＬ（ｉ−１）との差分情報を算出し、差分情報と画像情報Ｓ（ｉ−１）とを加算するなどして生成される。図４に示すように、低周波画像情報ＳＬ（ｉ−１）の画像は、画像情報Ｓ（ｉ−１）の画像と比較して輪郭がぼやけた画像となる。また、高周波画像情報ＳＨ（ｉ−１）の画像は、画像情報Ｓ（ｉ−１）の画像と比較してより輪郭が強調された画像となる。尚、周波数分離回路１０３が用いるローパスフィルタのパラメータは、予め決められたものであっても良いし、ユーザ等が設定するものであっても良い。
【００４４】
＜コントラスト情報算出の処理＞
次に、本実施形態のコントラスト情報算出回路１０４が行う、コントラスト情報の算出処理について図５を用いて説明する。この処理は、図２のステップＳ２０３の処理に対応する。図５はコントラスト情報算出の処理手順を示したフローチャートである。
【００４５】
ステップＳ５０１において、コントラスト情報算出回路１０４は、ステップＳ２０１で取得された動き領域情報ｍ（ｉ−１）に基づいて、動き領域内の座標値（ｘ、ｙ）を１つ取得する。
【００４６】
ステップＳ５０２において、コントラスト情報算出回路１０４は、ステップＳ５０１で取得された座標値（ｘ、ｙ）における画像情報Ｓ（ｉ−１）の画素情報を取得する。取得する画素情報は、たとえば、輝度信号値ＹやＲＧＢ値である。尚、画像情報Ｓ（ｉ−１）は、入力映像信号のフレーム表示周波数に従って表示する場合に、時刻（ｉ−１）に表示されるオリジナルの画像情報である。
【００４７】
ステップＳ５０３において、コントラスト情報算出回路１０４は、ステップＳ５０１で取得された座標値（ｘ、ｙ）における低周波画像情報ＳＬ（ｉ−１）の画素情報を取得する。取得する画素情報は、たとえば、輝度信号値ＹやＲＧＢ値である。尚、低周波画像情報ＳＬ（ｉ−１）は、画像情報Ｓ（ｉ−１）の画像の低周波成分画像の画像データである。
【００４８】
ステップＳ５０４において、コントラスト情報算出回路１０４は、オリジナルの画像情報Ｓ（ｉ−１）の座標値（ｘ、ｙ）と低周波画像情報ＳＬ（ｉ−１）の座標値（ｘ、ｙ）との差分に基づく評価値を算出する。評価値は、たとえば、オリジナル画像と低周波成分画像の輝度の差分の絶対値である。
【００４９】
ステップＳ５０５において、コントラスト情報算出回路１０４は、動き領域内のすべての画素に対して評価値を算出したか否かを判定する。すべての算出が終わった場合は、ステップＳ５０６へ進む。そうでない場合は、ステップＳ５０１に戻り、上述の処理を繰り返す。
【００５０】
ステップＳ５０６において、コントラスト情報算出回路１０４は、動き領域内のすべての画素に対する評価値に基づいてコントラスト情報を算出する。コントラスト情報は、たとえば、すべての画素に対する評価値の平均値であるとする。
【００５１】
このように、本形態のコントラスト情報算出回路１０４は、動き領域内のコントラスト情報の算出を、オリジナル画像である画像情報Ｓ（ｉ−１）と、その低周波成分画像の画像データである低周波画像情報ＳＬ（ｉ−１）との差分によって行っている。即ち、第１フレームの動き領域のコントラストは、第１フレームの動き領域と第１フレームの低周波成分画像の動き領域との差分に応じて取得される。ここで、第１フレームは画像情報Ｓ（ｉ−１）の画像に対応している。このようにすることで、ステップＳ２０２において生成される低周波成分画像情報を用いてコントラスト情報を算出するので、少ない処理負荷でコントラスト情報を算出することができる。
【００５２】
一般的なコントラスト情報を算出する方法として、例えば、動き領域内の高輝度領域の輝度値と低輝度領域の輝度値の差を求め、それによってコントラスト情報を算出する方法がある。このようにして求められたコントラスト情報を、第１、第２サブフレームとして表示させる画像を決定するための情報として利用しても良い。
【００５３】
ただし、本形態のコントラスト情報算出回路１０４は、上述のように、オリジナル画像である画像情報Ｓ（ｉ−１）と、その低周波成分画像の画像データである低周波画像情報ＳＬ（ｉ−１）との差分によってコントラスト情報を算出する。このようにすると、離れた位置の画素値の差を、算出するコントラスト情報に反映させないようにすることができる。すなわち、動き領域内の高輝度領域と低輝度領域の輝度の差に基づいてコントラスト情報を算出する場合、例えば、高輝度領域と低輝度領域が離れた位置にある場合にも、その輝度の差が大きければ高いコントラストを示すコントラスト情報が算出されることがある。従って、高いコントラストを示すコントラスト情報が算出される場合でも、誤った動き領域の検出に基づいて生成された中間補正画像が生成されている可能性がある。これに対し、本形態のように、オリジナル画像である画像情報Ｓ（ｉ−１）と、低周波画像情報ＳＬ（ｉ−１）との差分に基づいてコントラスト情報を算出すれば、離れた位置にある画素値の差をコントラスト情報に反映させないようにすることができる。従って、画像決定回路１０６は、本形態で算出されるコントラスト情報により、中間補正画像が誤った動き領域の検出に基づいて生成されたかをより精度良く評価することができる。
【００５４】
また、他のコントラスト情報を算出する方法として、例えば、オリジナル画像の動き領域内において、隣接する画素ブロックの画素値の差を求め、その結果に応じてコントラスト情報を算出する方法がある。つまり、動き領域内の画素ブロックごとに、その画素ブロックに隣接する画素ブロックとの例えば輝度値を比較し、その差が最も小さい部分をコントラストの評価値として算出する。つまり、隣接する画素ブロックの輝度値の差の最小値が大きければ、コントラストが高いことを示すコントラスト情報を算出する。このようにして求められたコントラスト情報を、第１、第２サブフレームとして表示させる画像を決定するための情報として利用しても良い。ただし、本形態のコントラスト情報算出回路１０４は、オリジナル画像である画像情報Ｓ（ｉ−１）と、その低周波成分画像の画像データである低周波画像情報ＳＬ（ｉ−１）との差分によってコントラスト情報を算出する。このようにすれば、例えば、動き領域内の各画素ブロックについて、四方に隣接する画素ブロックとの差分値を算出してコントラスト情報を算出するよりも、コントラスト情報の算出にかかる処理の量を少なくすることができる。
【００５５】
＜中間補正画像生成の処理＞
次に、本実施形態の中間画像生成回路１０５が行う、中間画像情報の生成処理について図６を用いて説明する。この処理は、図２のステップＳ２０４の処理に対応する。
【００５６】
図６は中間補正画像生成を説明するための概念図である。図６（ａ）は画像情報Ｓ（ｉ−１）、図６（ｂ）は中間画像情報ＳＣ（ｉ−１）、図６（ｃ）は画像情報Ｓ（ｉ）である。中間画像生成回路１０５は、動き領域情報ｍ（ｉ−１）に基づいて動きベクトルを算出し、画像情報Ｓ（ｉ）とＳ（ｉ−１）との中間にあたる画像を推定して中間画像情報ＳＣ（ｉ−１）を生成する。尚、上述のように、動き領域情報ｍ（ｉ−１）には、画像情報Ｓ（ｉ−１）及び画像情報Ｓ（ｉ）からそれぞれ検出された動き領域の座標情報が含まれている。中間画像生成回路１０５は、各画像情報Ｓの動き領域の座標情報から、たとえば、動き領域の動きベクトルを求め、動きベクトル量の半分の位置に動き領域を移動させることにより中間補正画像を生成する。
【００５７】
つまり、中間画像生成回路１０５は、動き領域の座標情報から、画像情報Ｓ（ｉ−１）の画像と画像情報Ｓ（ｉ）の画像との間で動き領域が移動した方向とその大きさを算出する。そして、中間画像生成回路１０５は、画像情報Ｓ（ｉ−１）の画像の動き領域を、算出された方向に、算出された大きさの例えば半分だけ移動させた画像を中間画像情報ＳＣ（ｉ−１）として生成する。上述のように、中間画像情報ＳＣ（ｉ−１）は、入力映像信号のフレーム表示周波数を増加させた場合に、画像情報Ｓ（ｉ−１）の画像と画像情報Ｓ（ｉ）の画像との間に表示させるための画像の画像データである。尚、各画像情報Ｓの動き領域の座標情報は、関連付けて記憶されている。つまり、動き領域検出回路１０２は、Ｓ２０１において複数の動き領域を検出した場合、画像情報Ｓ（ｉ−１）の各動き領域の座標情報と、それぞれに対応する画像情報（ｉ）の動き領域の座標情報とが関連付けられた動き領域情報ｍ（ｉ−１）を取得する。尚、動き領域が複数検知された場合、中間画像生成回路１０５は、それぞれの動き領域についてその動きの方向と大きさを算出し、それに基づいて複数の動き領域を移動させた画像を中間画像情報ＳＣ（ｉ−１）として生成することができる。
【００５８】
＜表示画像決定の処理＞
次に、本実施形態の画像決定回路１０６が行う、表示画像の決定処理について図７を用いて説明する。この処理は、図２のステップＳ２０５の処理に対応する。
【００５９】
図７は、画像決定回路１０６による表示画像決定の処理手順を示したフローチャートである。
【００６０】
ステップＳ７０１において、画像決定回路１０６は、ステップＳ２０３により算出されたコントラスト情報ｃ（ｉ−１）を取得する。尚、コントラスト情報ｃ（ｉ−１）が、画像情報Ｓ（ｉ−１）によって表示される画像における動き領域のコントラストの高さを示す情報であることは上述の通りである。
【００６１】
ステップＳ７０２において、画像決定回路１０６は、コントラスト情報ｃ（ｉ−１）が閾値を超えたか否かを判定する。閾値を超えた場合はステップＳ７０３へ、そうでない場合はステップＳ７０４へ進む。コントラスト情報の閾値は、予め設定されている値でもよいし、ユーザによって変更可能な値としても良い。
【００６２】
ステップＳ７０３において、画像決定回路１０６は、第１サブフレームをオリジナル画像情報Ｓ（ｉ−１）に、第２サブフレームを中間画像情報ＳＣ（ｉ−１）に決定する。つまり、画像決定回路１０６は、時刻（ｉ−１）に画像情報Ｓ（ｉ−１）の画像を、時刻（ｉ−１）から時刻（ｉ）までの間に、中間画像情報ＳＣ（ｉ−１）の画像を表示させるように、画像データを表示装置へ出力する。
【００６３】
ステップＳ７０４において、画像決定回路１０６は、第１サブフレームを高周波画像情報ＳＨ（ｉ−１）に、第２サブフレームを低周波画像情報ＳＬ（ｉ−１）に決定する。つまり、画像決定回路１０６は、時刻（ｉ−１）に高周波画像情報ＳＨ（ｉ−１）の画像を、時刻（ｉ−１）から時刻（ｉ）までの間に、低周波画像情報ＳＬ（ｉ−１）の画像を表示させるように、画像データを表示装置へ出力する。
【００６４】
ステップＳ７０５において、画像決定回路１０６は、入力映像信号のフレームレートの２倍の周波数となるように、第１サブフレームと第２サブフレームを順次表示させる。
【００６５】
即ち、画像決定回路１０６は、ステップＳ７０２で、第１フレームの動き領域のコントラストが所定値よりも高い場合、ステップＳ７０３において、第１フレームと第３フレームとを順次表示させる。一方、画像決定回路１０６は、ステップＳ７０２で、第１フレームの動き領域のコントラストが所定値以下である場合、ステップＳ７０４において、第１フレームの高周波成分画像と第１フレームの低周波成分画像とを順次表示させる。尚、本形態において、第１フレームは画像情報Ｓ（ｉ−１）の画像、第３フレームは中間画像情報ＳＣ（ｉ−１）の画像である。また、本形態において、第１フレームの高周波成分画像は高周波画像情報ＳＨ（ｉ−１）、第１フレームの低周波成分画像は低周波画像情報ＳＬ（ｉ−１）である。
【００６６】
尚、ステップＳ７０２の判定に用いる閾値は、検出された動き領域の大きさや、動きの速さに応じて動的に変更するようにしても良い。すなわち、例えば、検出された動き領域が大きいと、動き領域が小さい場合よりも低周波成分画像を表示させたときに映像のがたつきを感じやすい。そこで、画像決定回路１０６は、動き領域が大きい場合、中間補正画像が表示画像として決定されやすくなるように、ステップＳ７０２においてコントラスト情報と比較する閾値を低くする。即ち、画像決定回路１０６は、画像情報Ｓ（ｉ−１）（第１フレーム）の動き領域が所定の大きさよりも大きい場合、動き領域が所定の大きさ以下の場合よりも所定値を低く設定する。このように、画像決定回路１０６が動き領域の大きさに応じてコントラスト情報と比較する閾値を動的に変更すれば、フレーム表示周波数を増加させることによる画質の劣化をより低減させることができる。
【００６７】
また、検出された動き領域の動きが速い場合、すなわち、例えば画像情報Ｓ（ｉ−１）の画像と画像情報Ｓ（ｉ）の画像との間で、対応する動き領域が離れていると、動きの速さが遅い場合よりも低周波成分画像を表示させたときに映像のがたつきを感じやすい。そこで、画像決定回路１０６は、動き領域の動きが速い場合、中間補正画像が表示画像として決定されやすくなるように、ステップＳ７０２においてコントラスト情報と比較する閾値を低くする。即ち、画像決定回路１０６は、画像情報Ｓ（ｉ−１）の動き領域の位置を示す第１の位置と、画像情報Ｓ（ｉ）における、画像情報Ｓ（ｉ−１）の動き領域に対応する第２の位置との距離が所定の距離よりも離れている場合、以下のように処理する。つまり、画像決定回路１０６は、表示画面上における距離が所定の距離以内の場合よりも、コントラスト情報との比較に用いる閾値を低く設定する。尚、上述のように、画像情報Ｓ（ｉ）（第２フレーム）は、画像情報Ｓ（ｉ−１）（第１フレーム）よりも後に表示される画像の画像データである。このように、画像決定回路１０６が動き領域の動きの速さに応じてコントラスト情報と比較する閾値を動的に変更すれば、フレーム表示周波数を増加させることによる画質の劣化をより低減させることができる。
【００６８】
また、中間画像生成回路１０５によって動き領域が複数検知された場合、コントラスト情報算出回路１０４は、検知された動き領域の中で最も大きい動き領域から順に所定数の動き領域のコントラスト情報を算出する。そして、画像決定回路１０６は、Ｓ７０２において、コントラスト情報が算出された動き領域のコントラスト情報と閾値との比較結果により、表示させる画像を決定する。画像決定回路１０６は、例えば、複数の動き領域のコントラスト情報を閾値と比較した結果、閾値以下のコントラスト情報があれば、高周波成分画像と低周波成分画像を表示させる。このようにすれば、表示画面上の主要なオブジェクトが誤って動き検出された画像が表示される機会を低減することができる。
【００６９】
また、コントラスト情報算出回路１０４は、例えば、検知された複数の動き領域のうち、所定の大きさ以上の動き領域のコントラスト情報を算出するようにしても良い。そして、画像決定回路１０６は、Ｓ７０２において複数のコントラスト情報と閾値を比較し、その結果、閾値以下のコントラスト情報があれば、高周波成分画像と低周波成分画像を表示させるようにしても良い。このようにすれば、表示画面上で目立つオブジェクトが誤って動き検出された画像が表示される機会を低減することができる。尚、複数の動き領域のコントラスト情報を閾値と比較する場合、各動き領域の大きさや動きの速さに応じてそれぞれ比較する閾値の大きさを可変にしても良い。
【００７０】
以上説明したように、本実施形態の映像信号処理装置において、動き領域検出回路１０２は、入力映像信号の画像情報Ｓ（ｉ−１）と画像情報Ｓ（ｉ）とから画像情報Ｓ（ｉ−１）の動き領域を検出する。そして、中間画像生成回路１０５は、動き領域の情報に応じて、画像情報Ｓ（ｉ−１）と画像情報Ｓ（ｉ）との中間画像の画像データである中間画像情報ＳＣ（ｉ−１）を生成する。また、周波数分離回路１０３は、画像情報Ｓ（ｉ−１）の高周波成分画像、及び低周波成分画像を生成する。そして、画像決定回路１０６は、画像情報Ｓ（ｉ−１）の動き領域のコントラストが所定値よりも高いと判断された場合、画像情報Ｓ（ｉ−１）と中間画像情報ＳＣ（ｉ−１）の画像を順次表示させる。一方、画像情報Ｓ（ｉ−１）の動き領域のコントラストが所定値以下であると判断された場合、画像情報Ｓ（ｉ−１）の高周波画像情報ＳＨ（ｉ−１）と低周波画像情報ＳＬ（ｉ−１）の画像を順次表示させる。
【００７１】
このようにすることで、フレーム表示周波数を増加させることによる画質の劣化を低減することができる。
【００７２】
尚、本実施形態では、入力映像信号に含まれる画像情報のうち、画像情報Ｓ（ｉ−１）と画像情報Ｓ（ｉ）の処理をする場合について説明したが、ほかの画像情報に対しても同様に処理を行う。
【００７３】
また、本実施形態で説明した処理は、フレームごとに行っても、所定の間隔をあけたフレームごとに行っても良い。所定の間隔をあけて処理をすれば、本発明に係る処理の負荷を低減することができる。
【００７４】
また、本形態の画像決定回路１０６は、動き領域のコントラスト情報が所定値以下である場合、高周波画像情報ＳＨ（ｉ−１）の画像と低周波画像情報ＳＬ（ｉ−１）の画像を表示させる場合について説明したが、これに限らない。即ち、画像決定回路１０６は、動き領域のコントラスト情報が所定値以下である場合、例えば、以下のような画像を表示させても良い。すなわち、画像決定回路１０６は、第１サブフレームとして、低周波画像情報ＳＬ（ｉ−１）と、２倍の重み付けをした高周波画像情報ＳＨ（ｉ−１）との組み合わせに応じた画像（第４フレーム）を表示させても良い。また、画像決定回路１０６は、第２サブフレームとして、低周波画像情報ＳＬ（ｉ−１）の画像（第５フレーム）を表示させるようにしても良い。このように、画像決定回路１０６は、動き領域のコントラスト情報が所定値以下である場合、第１フレーム（画像情報Ｓ（ｉ−１））の周波数成分に応じたフレームを順次、表示させる。
【００７５】
＜他の実施例＞
本発明の目的は、次の形態によっても達成される。即ち、前述した実施形態の機能を実現するソフトウエアのプログラムコードを記録した記録媒体を、システムあるいは装置に供給する。そして、そのシステムあるいは装置のコンピュータ（またはＣＰＵまたはＭＰＵ）が記録媒体に格納されたプログラムコードを読み出し実行する形態である。この場合、記憶媒体から読み出されたプログラムコード自体が前述した実施形態の機能を実現することとなり、そのプログラムコードを記憶した記憶媒体は本発明を構成することになる。
【００７６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００７７】
また、本発明は、コンピュータが読み出したプログラムコードを実行することにより、前述した実施例の機能が実現される形態には限られない。すなわち、そのプログラムコードの指示に基づき、コンピュータ上で稼動しているＯｐｅｒａｔｉｎｇ  Ｓｙｓｔｅｍ（ＯＳ）などが実際の処理の一部または全部を行い、その処理によって前述した実施例の機能が実現される場合も含まれる。
【００７８】
さらに、本発明には、以下の形態も含まれる。すなわち、記憶媒体から読み出されたプログラムコードが、コンピュータに挿入された機能拡張ボードやコンピュータに接続された機能拡張ユニットに備わるメモリに書きこまれる。その後、そのプログラムコードの指示に基づき、その機能拡張ボードや機能拡張ユニットに備わるＣＰＵなどが実際の処理の一部または全部を行い、その処理によって前述した実施形態の機能が実現される形態である。
【図面の簡単な説明】
【００７９】
【図１】実施形態に係る映像信号処理装置の構成例構Ｈ成例を示すブロック図
【図２】実施形態に係る映像信号処理装置が行う処理のフローチャート図
【図３】動き領域情報算出を説明するための概念図
【図４】空間周波数分離画像生成を説明するための概念図
【図５】コントラスト情報算出処理のフローチャート図
【図６】中間補正画像生成を説明するための概念図
【図７】表示画像選択処理のフローチャート図
【符号の説明】
【００８０】
１０１  フレームメモリ
１０２  動き領域検出回路
１０３  周波数分離回路
１０４  コントラスト情報算出回路
１０５  中間画像生成回路
１０６  画像決定回路
【図１】
2010041315.tif 000003
【図２】
2010041315.tif 000004
【図３】
2010041315.tif 000005
【図４】
2010041315.tif 000006
【図５】
2010041315.tif 000007
【図６】
2010041315.tif 000008
【図７】
2010041315.tif 000009